(57)【要約】【課題】水や油等を使用するウォータバスを用いずに正確な加温管理が行なえると共に、しかも、清潔に使用できるロータリーエバポレータを提供する。【解決手段】駆動部３により回転自在に支持された試料容器１７と回転する試料容器１７を誘導加熱する誘導加熱手段を備えるようにする。  前記誘導加熱手段は、前記加温器２３に設けられた交流電流が流れる上向きに形成された断面Ｕ字状の誘導電極２５と、  前記誘導電極２５内に配置セットされる前記試料容器１７の周壁面に沿って設けられた電磁誘導体２１とで構成する。【選択図】図１
2010221116.tif 000002
【特許請求の範囲】
【請求項１】
駆動部により回転自在に支持された試料容器と回転時の試料容器を誘導加熱する誘導加熱手段を備えた加温器とを有し、
前記誘導加熱手段は、前記加温器に設けられ交流電流が流れる上向きに形成された断面Ｕ字状の誘導電極と、
前記誘導電極内に配置セットされる前記試料容器の周壁面に沿って設けられた電磁誘導体とで構成されていることを特徴とするロータリーエバポレータ。
【請求項２】
前記試料容器の容器本体は、円筒体に形成されていることを特徴とする請求項１記載のロータリーエバポレータ。
【請求項３】
前記電磁誘導体は、試料容器周壁面の外周または内部に埋設された形状となっていることを特徴とする請求項１又は２記載のロータリーエバポレータ。
【発明の詳細な説明】
【技術分野】
【０００１】
本発明は研究室や実験室で使用されるロータリーエバポレータに関する。
【背景技術】
【０００２】
一般に研究室や実験室等で使用されるロータリーエバポレータの概要は、例えば、図８に示す如くモータ等の駆動部１０１によって回転自在に支持されたロータリージョイント１０３の一端に試料を蒸留する試料容器１０５が接続され、ロータリージョイント１０３と一緒に回転する。他端は凝縮器１０７内に臨んでいる。
【０００３】
試料容器１０５は加熱手段となるウォータバス１０９によって加温されながら回転することで、蒸気となった試料蒸気は前記ロータリージョイント１０３を介して冷却水が流れる凝縮器１０７内へ送り込まれた後、凝縮器１０７内において凝縮され、受けフラスコ１１１によって回収される構造となっている。
【先行技術文献】
【特許文献】
【０００４】
【特許文献１】特開２００７−０９８２４６号公報
【発明の概要】
【発明が解決しようとする課題】
【０００５】
ロータリーエバポレータの試料容器１０５は、ウォータバス１０９によって加温されながら回転することで試料蒸気として取り出す手段となっているが、試料容器１０５を加温するウォータバス１０９は一般に一定の液面まで入れられた水あるいは油が用いられ、一定の温度まで加熱して使用される。
【０００６】
このために、ウォータバス１０９を用いる手段にあっては、液面が下がった時に補充作業が必要となるため液面を一定に保つ維持管理作業が求められる。特に、補充時は一時的に温度が下がるため安定した温度管理の面での問題を残す。
【０００７】
また、水や油がウォータバス１０９から外へこぼれ出る恐れがある等取り扱いも面倒となる問題をかかえる。
【０００８】
そこで、本発明にあっては水や油を使用するウォータバスを用いなくても試料容器の安定した加温の管理が行なえるロータリーエバポレータを提供することを目的としている。
【課題を解決するための手段】
【０００９】
前記目的を達成するために本発明にあっては、駆動部により回転自在に支持された試料容器と回転時の試料容器を誘導加熱する誘導加熱手段を備えた加温器とを有し、
前記誘導加熱手段は、前記加温器に設けられ交流電流が流れる上向きに形成された断面Ｕ字状の誘導電極と、
前記誘導電極内に配置セットされる前記試料容器の周壁面に沿って設けられた電磁誘導体とで構成されていることを特徴とする。
【００１０】
本発明を実施するにあたって、第１に前記試料容器の容器本体を、円筒体に形成することで、効率のよい誘導加熱が行なえるようにＵ字状の誘導電極に対して広い対向面積を備えた回転が得られるようにすることが望ましい。
【００１１】
第２に前記電磁誘導体を、試料容器周壁面の外周または内部に埋設する形状とすることで、広い面積を備えた電磁誘導体が得られるようにすることが望ましい。
【発明の効果】
【００１２】
本発明によれば、Ｕ字状の誘導電極によって試料容器の配置セットが容易に行えると共に一部周壁領域をＵ字状に取り囲むことが可能になるため、大きな誘導加熱面の確保につながり、効率のよい試料容器の加熱状態を得ることができる。
【００１３】
また、試料容器の加熱手段となる水や油を使用しないために、面倒な水又は油の維持，管理作業が不用になると共に周囲を汚すことなく清潔に実験を行なうことができる。
【図面の簡単な説明】
【００１４】
【図１】本発明にかかるロータリーエバポレータ全体の概要説明図。
【図２】凝縮器，ロータリージョイント，駆動部の関係を示した概要説明図。
【図３】図１のＡ−Ａ線概要説明断面図。
【図４】試料容器の概要説明図。
【図５】Ｕ字状の誘導電極の概要説明図。
【図６】Ｕ字状の誘導電極にヒンジを支点として回動する保温カバーを設けるようにした説明図。
【図７】加温器の概要説明図。
【図８】従来例を示したロータリーエバポレータの概要説明図。
【発明を実施するための形態】
【００１５】
以下、図１乃至図７の図面を参照しながら本発明の実施形態について具体的に説明する。
【００１６】
図１はロータリーエバポレータの全体の概要説明図を示している。ロータリーエバポレータ１の駆動部３は、モータ等により構成されベース台５に立設された昇降装置７の可動部材（図示していない）に上下動自在に支持されている。昇降装置７の可動部材は操作スイッチ９のスイッチ操作により上下動し、駆動部３は上下に長いガイド孔１１の範囲内において昇降可能となっている。
【００１７】
駆動部３には、図２に示す如く内部が連通路１３となるパイプ状のロータリジョイント１５が傾斜上昇した状態で回転自在に支持されている。ロータリージョイント１５の下降端側となる一方のジョイント開口端１５ａには、試料容器１７がクリップ等の接続手段１８を介して着脱自在に接続連通し、ロータリージョイント１５を介して試料容器１７の回転が可能となっている。
【００１８】
ロータリージョイント１５の上昇端側となる他方は凝縮器１９内に臨んでいる。試料容器１７はガラス製で図３、図４に示す如く断面円形の円筒体に作られている。円筒体に作られた周壁面には金属でできた帯板状の電磁誘導体２１がリング状に設けられている。
【００１９】
電磁誘導体２１は、電気抵抗の大きい鉄又はステンレス等の材質で作られ、加温器２３の誘導電極２５とにより誘導加熱手段２６を構成している。
【００２０】
この場合、電磁誘導体２１は試料容器１７の周壁内に埋設された一体形状のものであってもよい。
【００２１】
加温器２３は所定の場所に設置して使用できるよう支脚部を備えたユニット構造となっていて、上部には前記試料容器１７を誘導加熱する誘導電極２５が設けられている。
【００２２】
誘導電極２５は、図５に示す如く断面上向きＵ字状に形成され渦巻状の導線を断面Ｕ字状に屈曲成形することで形成されている。外周はガラス等の絶縁材２７によって全周が取り囲まれ、絶縁材２７及び誘導電極２５とにより上向きＵ字状の加温部２９を構成している。絶縁材２７は、誘導電極２５との金属の直接接触をなくし短絡事故の阻止を図っている。
【００２３】
Ｕ字状の誘導電極２５は図７に示す如く加温器２３の正面に設けられた制御パネル３１の各操作スイッチ３３を操作することで加温器内部に設けられた制御部３５を介して設定された所定の交流電流が流れるよう制御される。
【００２４】
誘導電極２５のＵ字形状は、図３に示す如く円筒体に形成された試料容器１７の周壁の一部領域、この実施形態では設定された所定の隙間を有して下半分を覆う深さに作られている。Ｕ字状の深さは配置セットされる試料容器１７の電磁誘導体２１を取り囲む対向面積と誘導加熱面積の拡大を図る手段となっている。
【００２５】
また、上向きＵ字状の加温部２９は、上方から試料容器１７を無理なく回転自在に配置セットする機能の外に、下降傾斜した試料容器１７の底部側を回転自在に支持する支持手段３６を有している。支持手段３６としては加温部２９に設けられた磁石３６ａと試料容器１７の底部外周に沿って設けられた磁石３６ｂの反発力を利用する無接点支持タイプとなっている。
【００２６】
なお、上向きＵ字状の加温部２９には図６に示す如く回転時の試料容器１７の上半分を覆うヒンジ３７を支点として回動する保温カバー３９を設けるようにすることが望ましい。この場合、誘導電極２５を保温カバーを含めた筒状に形成する手段としてもよい。
【００２７】
一方、前記したロータリージョイント１５の他端が臨む前記凝縮器１９は、ガラス製の円筒状につくられ、駆動部３と一緒に上下動可能となっている。凝縮器１９の内部には、冷却水が流れる凝縮用の螺旋４１が設けられている。
【００２８】
その外にコック接続部４３、フラスコ接続部４５、ジョイント接続部４７がそれぞれ一体形状に作られた一部品となっている。これにより、一部品となることで接続領域がなくなる分、内部の高い気密保持の確保が可能となっている。
【００２９】
凝縮用の螺旋４１は外側の一端が、例えば、水道等に接続される入口４１ａ、内側の一端が排水用となる出口４１ｂとなっていて、内部を冷却水が流れることで、試料容器１７から送り込まれる試料蒸気を凝縮する。この場合、凝縮作用があれば必ずしも螺旋タイプでなくてもよく、内部に冷却剤を備えた内槽とその外側の外槽とからなる二重槽構造タイプのものであってもよい。
【００３０】
一方、フラスコ接続部４５は、受けフラスコ５１がクリップ等の接続手段５３を介して着脱自在に装着されている。
【００３１】
コック接続部４３とジョイント接続部４７は、所定の角度傾斜した傾斜軸線Ｘに沿って配置され、ジョイント接続部４７には前記したロータリージョイント１５がシール部材（図示していない）を介して回転自在に挿入支持されている。
【００３２】
コック接続部４３には、図１に示すように手動コック５５が密着し合う状態で回転自在に装着されている。手動コック５５には、試料チューブ５７が接続され試料チューブ５９は、前記ロータリージョイント１５の内部空間となる連通路１３を通過し試料容器１７内まで延長された形状となっている。
【００３３】
手動コック５５のコックポート５５ａとコック接続部４３のコックポート４３ａは、前記手動コック５５を回転し各ボード５５ａ，４３ａを対向させた時、コックポート４３ａと試料容器１７とが試料チューブ５９を介して連通し合い、例えば、試料等の補充が可能となっている。
【００３４】
この場合、試料チューブ５９は、前記した通り試料補充用となっているもので、実験によっては取り外す場合がある。
【００３５】
なお、図１において６１は図外の真空ポンプと接続する接続口で、凝縮器１９の内部を所定の真空度に保つことが可能となっている。
【００３６】
このように構成されたロータリーエバポレータ１によればＵ字状の誘導電極２５内に配置セットされた試料容器１７を回転させることで、蒸気となった試料蒸気は前記ロータリージョイント１５を介して凝縮器１９内へ送り込まれた後、凝縮器１９内において凝縮され、受けフラスコ５１によって回収される。
【００３７】
この時、試料容器１７の配置セット作業が支障なく行えると共に誘導電極２５は試料容器１７の下半分をＵ字状に取り囲む状態となるため大きな誘導加熱面の確保につながり効率のよい正確な誘導加熱が得られる。
【００３８】
また、水や油等を使用することがないため周囲を汚すことなく清潔に実験を行なえるようになる。
【符号の説明】
【００３９】
１    ロータリーエバポレータ
３    駆動部
１７    試料容器
２１    電磁誘導体
２３    加温器
２５    誘導電極
２７    絶縁材
２９    加温部
【図１】
2010221116.tif 000003
【図２】
2010221116.tif 000004
【図３】
2010221116.tif 000005
【図４】
2010221116.tif 000006
【図５】
2010221116.tif 000007
【図６】
2010221116.tif 000008
【図７】
2010221116.tif 000009
【図８】
2010221116.tif 000010